【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
第１取得条件の成立に基づいて第１情報を取得する第１取得手段と、
第２取得条件の成立に基づいて第２情報を取得する第２取得手段と、
前記第１取得手段により取得された前記第１情報に基づいて第１判定を実行する第１判定手段と、
前記第２取得手段により取得された前記第２情報に基づいて第２判定を実行する第２判定手段と、
前記第１判定手段による前記第１判定の結果を示すための第１識別情報と、前記第２判定手段による前記第２判定の結果を示すための第２識別情報とを表示可能な表示手段と、
その表示手段に前記第１識別情報を所定の第１期間動的表示させる第１動的表示手段と、
その第１動的表示手段により前記第１識別情報が動的表示される前記所定の第１期間として、複数の第１動的表示期間の中から１の第１動的表示期間を設定する第１動的表示期間設定手段と、
前記表示手段に前記第２識別情報を所定の第２期間動的表示させる第２動的表示手段と、
その第２動的表示手段により前記第２識別情報が動的表示される前記所定の第２期間として、複数の第２動的表示期間の中から１の第２動的表示期間を設定する第２動的表示期間設定手段と、を有し、
前記第１動的表示手段により前記第１識別情報が動的表示されている間に、前記第２動的表示手段により前記第２識別情報を動的表示させることが可能に構成され、前記表示手段に特定の前記第１識別情報または特定の前記第２識別情報が停止表示された場合に、それぞれに対応した所定の特定遊技が実行される遊技機において、
前記第１取得手段により取得された前記第１情報を、少なくとも当該第１情報に対する前記第１判定が実行されるまで、第１の所定数を上限に記憶可能な第１記憶手段と、
前記第２取得手段により取得された前記第２情報を、少なくとも当該第２情報に対する前記第２判定が実行されるまで、第２の所定数を上限に記憶可能な第２記憶手段と、
前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、
所定の可変条件が成立した場合に、前記表示手段に表示された前記記憶表示態様を特定記憶表示態様に可変させる表示態様可変手段と、を有し、
前記表示態様可変手段は、前記第１動的表示期間設定手段の設定結果と、前記第２動的表示期間設定手段の設定結果と、に基づいて、前記可変条件の成立のし易さを異ならせるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、第１取得条件の成立に基づいて第１情報を取得する第１取得手段と、第２取得条件の成立に基づいて第２情報を取得する第２取得手段と、前記第１取得手段により取得された前記第１情報に基づいて第１判定を実行する第１判定手段と、前記第２取得手段により取得された前記第２情報に基づいて第２判定を実行する第２判定手段と、前記第１判定手段による前記第１判定の結果を示すための第１識別情報と、前記第２判定手段による前記第２判定の結果を示すための第２識別情報とを表示可能な表示手段と、その表示手段に前記第１識別情報を所定の第１期間動的表示させる第１動的表示手段と、その第１動的表示手段により前記第１識別情報が動的表示される前記所定の第１期間として、複数の第１動的表示期間の中から１の第１動的表示期間を設定する第１動的表示期間設定手段と、前記表示手段に前記第２識別情報を所定の第２期間動的表示させる第２動的表示手段と、その第２動的表示手段により前記第２識別情報が動的表示される前記所定の第２期間として、複数の第２動的表示期間の中から１の第２動的表示期間を設定する第２動的表示期間設定手段と、を有し、前記第１動的表示手段により前記第１識別情報が動的表示されている間に、前記第２動的表示手段により前記第２識別情報を動的表示させることが可能に構成され、前記表示手段に特定の前記第１識別情報または特定の前記第２識別情報が停止表示された場合に、それぞれに対応した所定の特定遊技が実行されるものであり、前記第１取得手段により取得された前記第１情報を、少なくとも当該第１情報に対する前記第１判定が実行されるまで、第１の所定数を上限に記憶可能な第１記憶手段と、前記第２取得手段により取得された前記第２情報を、少なくとも当該第２情報に対する前記第２判定が実行されるまで、第２の所定数を上限に記憶可能な第２記憶手段と、前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、所定の可変条件が成立した場合に、前記表示手段に表示された前記記憶表示態様を特定記憶表示態様に可変させる表示態様可変手段と、を有し、前記表示態様可変手段は、前記第１動的表示期間設定手段の設定結果と、前記第２動的表示期間設定手段の設定結果と、に基づいて、前記可変条件の成立のし易さを異ならせるものである。
【手続補正３】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正４】
【補正対象書類名】明細書
【補正対象項目名】００１１
【補正方法】変更
【補正の内容】
【００１１】
請求項１記載の遊技機によれば、第１取得条件の成立に基づいて第１情報を取得する第１取得手段と、第２取得条件の成立に基づいて第２情報を取得する第２取得手段と、前記第１取得手段により取得された前記第１情報に基づいて第１判定を実行する第１判定手段と、前記第２取得手段により取得された前記第２情報に基づいて第２判定を実行する第２判定手段と、前記第１判定手段による前記第１判定の結果を示すための第１識別情報と、前記第２判定手段による前記第２判定の結果を示すための第２識別情報とを表示可能な表示手段と、その表示手段に前記第１識別情報を所定の第１期間動的表示させる第１動的表示手段と、その第１動的表示手段により前記第１識別情報が動的表示される前記所定の第１期間として、複数の第１動的表示期間の中から１の第１動的表示期間を設定する第１動的表示期間設定手段と、前記表示手段に前記第２識別情報を所定の第２期間動的表示させる第２動的表示手段と、その第２動的表示手段により前記第２識別情報が動的表示される前記所定の第２期間として、複数の第２動的表示期間の中から１の第２動的表示期間を設定する第２動的表示期間設定手段と、を有し、前記第１動的表示手段により前記第１識別情報が動的表示されている間に、前記第２動的表示手段により前記第２識別情報を動的表示させることが可能に構成され、前記表示手段に特定の前記第１識別情報または特定の前記第２識別情報が停止表示された場合に、それぞれに対応した所定の特定遊技が実行されるものであり、前記第１取得手段により取得された前記第１情報を、少なくとも当該第１情報に対する前記第１判定が実行されるまで、第１の所定数を上限に記憶可能な第１記憶手段と、前記第２取得手段により取得された前記第２情報を、少なくとも当該第２情報に対する前記第２判定が実行されるまで、第２の所定数を上限に記憶可能な第２記憶手段と、前記第１記憶手段に記憶された前記第１情報の記憶数と、前記第２記憶手段に記憶された前記第２情報の記憶数とを識別可能な記憶数情報を前記表示手段に所定の記憶表示態様で表示させる記憶情報表示手段と、所定の可変条件が成立した場合に、前記表示手段に表示された前記記憶表示態様を特定記憶表示態様に可変させる表示態様可変手段と、を有し、前記表示態様可変手段は、前記第１動的表示期間設定手段の設定結果と、前記第２動的表示期間設定手段の設定結果と、に基づいて、前記可変条件の成立のし易さを異ならせるものである。
【手続補正５】
【補正対象書類名】明細書
【補正対象項目名】００１３
【補正方法】変更
【補正の内容】
【００１３】
請求項２記載の遊技機によれば、請求項１記載の遊技機の奏する効果に加え、前記表示手段は、液晶ディスプレイで構成されているものである。よって、液晶表示装置を用いた演出を実行することができるという効果がある。
【手続補正６】
【補正対象書類名】明細書
【補正対象項目名】０５０８
【補正方法】変更
【補正の内容】
【０５０８】
１０          パチンコ機（遊技機）
８１          第３図柄表示装置（表示手段）
Ｓ４０５      第１判定手段
Ｓ５０５ 第１動的表示期間設定手段
Ｓ７１５      第２判定手段
Ｓ７２５ 第２動的表示期間設定手段
Ｓ９０１      第１取得手段
Ｓ９０６      第１記憶手段
Ｓ９０８      第２取得手段
Ｓ９１３      第２記憶手段
Ｓ１５１１    記憶情報表示手段
Ｓ１６０１、Ｓ１６０３    第１動的表示手段
Ｓ１６０６、Ｓ１６０８    第２動的表示手段
Ｓ１４０６    表示態様可変手段